(57)【特許請求の範囲】
【請求項１】
Ｕ状の茎受け部と、このＵ状の茎受け部の一方の上部に連設された横紐吊り用フック部と、この横紐吊り用フック部の上部に形成され、誘引用吊り紐は通過するが誘引用吊り紐の下端の結び目は通過できない大きさの、入口部が上部に開放した切欠穴を有する吊り紐係止部とを有することを特徴とする植物栽培用吊りフック。
【請求項２】
茎受け部における茎との接触部をほぼ平面状とした請求項１記載の植物栽培用吊りフック。
【請求項３】
請求項１または２に記載の植物栽培用吊りフックを用いた植物栽培方法であって、
茎が蔓状に伸びる植物の複数の苗を長い畝に沿って栽培するに際し、
畝の上部に畝の長手方向に沿って針金線を張り、この針金線に下端に結び目を設けた誘引用吊り紐を所定間隔で吊り下げ、
この誘引用吊り紐の下端に、当該誘引用吊り紐の下端の結び目が前記植物用吊りフックの前記切欠穴で止まるように前記横紐吊り用フック部の上部に巻き付けることにより前記植物栽培用吊りフックを吊り下げ、
上方に伸びる茎の先端部は前記誘引用吊り紐に留め具で支持し、根に近い茎の部分は培地から所定空間が空くように、前記畝の長手方向に所定間隔で支持された前記植物栽培用吊りフックの内部に通し、
前記複数の苗の茎を前記吊りフックに束ねて支持することにより、培地に茎や実が接地しないようにすることを特徴とする植物栽培方法。
【発明の詳細な説明】
【０００１】
【発明の属する技術分野】
本発明は、トマト等の茎が蔓状に伸びる植物のハウス栽培、水耕栽培を行うときに用いる植物栽培用吊りフックおよびそれを用いた植物栽培方法に関する。
【０００２】
【従来の技術】
従来、トマトやミニトマト等を長期間栽培する場合、図１０に示すように、支柱２１を所定間隔で畝の長手方向に立設し、支柱２１に横紐２２を巻き付けるか結びつけ、茎の先端部は留め具２３を用いて葉や実が接地しないようにしている。他の方法は、図１１に示すように、畝の長手方向に張り渡した針金線２９に誘引用吊り紐２８を所定間隔で垂らし、誘引用吊り紐２８に留め具２３で茎の先端を止めるようにして葉や実が接地しないようにしている。
【０００３】
いずれの方法においても、実を収穫した後は、実の近くの枝や葉を切り、留め具２３を外して収穫した部分の茎を水平に寝かせ、その状態で茎の先端を再び留め具２３で止めて、横紐２２、誘引用吊り紐２８に支持するようにしている。このようにして、畝の長手方向に茎２０を伸ばしながら栽培していく訳であるが、長期間栽培していく間に茎２０の長さが８ｍ〜１０ｍ以上の長さになるために、図１０のように茎２０が地面の上に直接這わされていることが多い。
【０００４】
茎を地面の上に這わせていると、図１２に示すように実が地面に接地し、実に傷が入り、高品質のトマトが収穫できないと共に、地面と茎２０の接地面の通気性が悪いために茎や葉等が疫病や多種のカビ病にかかりやすくなり、感染すると茎が枯れてしまう。
【０００５】
また、実は地面に接地することによって傷が入ったり割れたりするだけでなく、害虫によって穴を空けられたり腐ったりして、製品として出せないことも発生している。
【０００６】
さらに、図１３に示すように、茎２０を這わせている地面の部分２４に水や液肥等を散布すると、水分による湿気で土の中の菌が増殖しやすくなる。そうすると、茎２０が地面に接地している部分から多種のカビ病等が発生しやすくなるので、茎２０が這っている部分２４を避けて、畝から離れた部分２５に水や液肥等を散布することを余儀なくされている。
【０００７】
一方、図１４に示すように、畝の地面の上にビニールシート２６を被せて、ビニールシート２６の下に水や液肥を流す冠水チューブ２７を通し、水や液肥を地面に遣り、ビニールシート２６上に茎２０を這わせて、這わせている茎２０に湿気が来ないようにして生産している農家もいるが、地面にビニールシート２６を被せることにより地温が高くなり茎の根の張りが悪く、生育が悪くなることもある。
【０００８】
施設園芸栽培（ビニールハウス栽培）の場合でも、地面にビニールシートを被せて、地面の湿気でシート上に這わせている茎や実に影響が出ないようにしていても、ビニールハウス内の結露による水滴や、雨漏り、また消毒時の葉面散布時の水滴がビニールシート上に溜まり、這わせている茎が水溜まりに浸かり、カビ病等にかかりやすくなる。
【０００９】
対策として図１５のように紐２９で茎２０を束ねて吊り上げて、カビ病の発生や、実に接地面で傷が入ったり割れたりしにくいようにして生産している農家もあるが、茎２０の重量で紐２９が茎２０に食い込んで茎を傷つけることがある。
また、茎２０は常に成長し伸びていくので、その度に茎２０を束ねている紐２９を解き、束ね直すか、新たに地面に這っている茎２０を紐２９で吊り上げなければならず、低位置での作業となり手間がかかり作業性も悪く重労働となっている。
【００１０】
【発明が解決しようとする課題】
以上説明したように、従来においては、地面に直接茎を這わせたり、ビニールシート上に茎を這わせたりしていることにより、茎が病気になり、枯れたり実に傷が入って商品として出荷できなかったりし、生産ロスが大きい。
また、茎を紐で束ねて吊り上げる方法では作業に手間がかかり、生産者にとって重労働である。
【００１１】
そこで本発明が解決しようとする課題は、茎を接地させることなく栽培ができ、作業も省力化、軽負担でできる植物栽培用吊りフックおよびそれを用いた植物栽培方法を提供することにある。
【００１２】
【課題を解決するための手段】
前記課題を解決するため、本発明の植物栽培用吊りフックは、Ｕ状の茎受け部と、このＵ状の茎受け部の一方の上部に連設された横紐吊り用フック部とを有するものである。これにより、フック部を誘引用吊り紐にワンタッチで支持でき、Ｕ状の茎受け部に茎を入れることで、簡単に茎の収納作業を行うことができる。
【００１３】
この吊りフックにおいて、茎受け部における茎との接触部をほぼ平面状とすることにより、茎受け部における茎の荷重が分散され、茎を痛めることが少ない。
なお、「ほぼ平面状」とは、平面状以外に、茎の径よりも大きな曲率の円弧断面をも含むものとする。
【００１４】
また、誘引用吊り紐は通過するが誘引用吊り紐の下端の結び目は通過できない大きさの切欠穴を有する吊り紐係止部を設けることにより、フック部を誘引用吊り紐にワンタッチで支持できる。
【００１５】
本発明の植物栽培方法は、横紐誘引の場合は、茎が蔓状に伸びる植物の複数の苗を長い畝に沿って栽培するに際し、畝の長手方向に沿って支柱を所定間隔で立設し、これらの支柱間に、横紐を複数段に張り、上方に伸びる茎の先端部は上段、中段の横紐に支持し、根に近い茎の部分は培地から所定空間が空くように、下段の横紐に所定間隔で支持された吊りフックの内部に通し、前記複数の苗の茎を前記吊りフックに束ねて支持し、培地に茎や実が接地しないようにするものである。これにより、茎や実の腐れや病気、カビを防止することができる。
【００１６】
また、吊り紐誘引の場合は、茎が蔓状に伸びる植物の複数の苗を長い畝に沿って栽培するに際し、畝の上部に畝の長手方向に沿って針金線を張り、この針金線に誘引用吊り紐を所定間隔で吊り下げ、上方に伸びる茎の先端部は前記誘引用吊り紐に留め具で支持し、根に近い茎の部分は培地から所定空間が空くように、前記誘引用吊り紐により前記畝の長手方向に所定間隔で支持された吊りフックの内部に通し、前記複数の苗の茎を前記吊りフックに束ねて支持し、培地に茎や実が接地しないようにするものである。これにより、茎や実の腐れや病気、カビを防止することができる。
【００１７】
【発明の実施の形態】
以下、本発明の実施の形態について説明する。
図１は本発明の第１実施形態に係る吊りフック１の形状を示すもので、（ａ）は正面図、（ｂ）は側面図、（ｃ）は吊り紐係止部の拡大図、（ｄ）は（ａ）のＡ−Ａ線断面図である。また、図２は吊り紐係止部への誘引用吊り紐の係止方法を説明する図であり、（ａ）は誘引用吊り紐の結び目の拡大図、（ｂ）は係止状態の吊り紐係止部の拡大正面図、（ｃ）はその側面図である。
【００１８】
これらの図において、１ａは先端部１ｅが外に開いたＵ状の茎受け部、１ｂは横紐に掛けて吊り下げる横紐吊り用フック部、１ｃは吊り紐係止部である。茎受け部１ａは、茎が直接載る部分であるので、図１（ｄ）に示すように単なる丸形ではなく平らな部分を有する形状としている。
【００１９】
吊り紐係止部１ｃには、誘引用吊り紐は通り抜けるが、誘引用吊り紐の結び目は通過できない大きさの切欠穴１ｄが設けられている。誘引用吊り紐２は撚り線で作られたものが多く、撚り線の素線が解けないように、普通は端の部分に結び目２ａを設けている。この結び目２ａが切欠穴１ｄで止まるようにして誘引用吊り紐２を横紐吊り用フック部１ｂの上部に巻き付けると、図２（ｂ），（ｃ）に示すように、吊りフック１は誘引用吊り紐２の下端に簡単に吊り下げることができる。
【００２０】
以下に、この第１実施形態の吊りフック１を使用した栽培方法について説明する。
図３は横紐誘引の場合を示すものである。横紐誘引の場合は、畝の長手方向に所定間隔で支柱３が立設されており、この支柱３に高さを異ならせて複数の横紐４を巻き付けて茎の支持を行うようにしている。一番下の横紐４には所定間隔で吊りフック１の横紐吊り用フック部１ｂを掛ける。上方に伸びる茎１１は留め具５で横紐４に止め、茎の根本部の水平に伸びる茎１０は束にして吊りフック１に収める。このようにすると、茎１０が地面よりも高い位置で支持され、茎や実が接地することがなくなる。
【００２１】
図４は吊り紐誘引の場合を示すものである。吊り紐誘引の場合は、畝の長手方向に張った針金線６から所定間隔で誘引用吊り紐２を吊し、長い誘引用吊り紐２の下端に、前記の図２に示した要領で吊りフック１を吊す。上方に伸びる茎１１は留め具５で短い誘引用吊り紐２に止め、茎の根本部の水平に伸びる茎１０は束にして吊りフック１に収める。このようにすると、茎１０が地面よりも高い位置で支持され、茎や実が接地することがなくなる。
【００２２】
このように、いずれの誘引方法においても、茎１０は吊りフック１に載せられているだけであるので、ビニールハウス内の結露による水滴や、雨漏り、また消毒時の葉面散布の時に茎に水滴が垂れても、通気性が良いために、茎が長期間、濡れたままになることがない。したがって、疫病や、多種のカビ病等にかかりにくく、消毒時、茎全体に薬品がかかるので、病気になりにくくなる。
【００２３】
また、吊りフック１の茎受け部１ａは茎に接する部分が平面状であるので、茎１０と茎受け部１ａが面接触となり、荷重が分散されて茎１０を傷つけることが少ない。
【００２４】
さらに、吊り下げられた吊りフック１に茎を載せるだけなので、図１５に示す従来例の、紐２８で束ねて吊るときのように茎に紐２８が締まり込んでいくこともなく茎への負担も少ない。
【００２５】
また、茎の成長と共に茎が伸びても、紐２８で茎２０を束ねて吊っている図１５のように紐２８を解いて束ねなおしたり、新たに紐で束ねたりする必要はなく、吊りフック１に茎を載せていくだけですむ。
【００２６】
長期間栽培収穫後に茎や紐を片づけるとき、図５の（イ）から（ロ）のように吊りフック１を回転させることにより簡単に片づけができる。
【００２７】
図６は本発明の第２実施形態に係る吊りフックを示すもので、（ａ）は正面図、（ｂ）は側面図、（ｃ）は（ａ）のＢ−Ｂ線断面図である。この第２実施形態においては、第１実施形態よりもフック部１ｂが茎受け部１ａの側部に設けられており、フック部１ｂに縦紐または誘引用吊り紐を掛けたときに、茎受け部１ａが斜めになって、茎の出し入れが容易になる構成となっている。
【００２８】
図７は本発明の第３実施形態に係る吊りフックを示すもので、（ａ）は要部正面図、（ｂ）は側面図である。この実施形態では、吊り紐係止部１ｃをフック部１ｂの裏側に設け、切欠穴１ｄが下を向くようにしている。下向きの切欠穴１ｄに誘引用吊り紐２の結び目２ａを通すことにより、誘引用吊り紐２でこの吊りフックを吊すことができる。荷重的に心配であれば、フック部１ｂに数回誘引用吊り紐２を巻き付けて使用すればよい。
【００２９】
図８は本発明の第４実施形態に係る吊りフックを示すもので、（ａ）は要部正面図、（ｂ）は側面図である。この実施形態では、吊り紐係止部１ｃをフック部１ｂの上方に設け、切欠穴１ｄが横を向くようにしている。横向きの切欠穴１ｄに誘引用吊り紐２の結び目２ａを通すことにより、誘引用吊り紐２でこの吊りフックを吊すことができる。荷重的に心配であれば、フック部１ｂに数回誘引用吊り紐２を巻き付けて使用すればよい。
【００３０】
図９は本発明の第５実施形態に係る吊りフックを示すもので、（ａ）は正面図、（ｂ）は左側面図、（ｃ）は右側面図である。この実施形態においては、フック部１ｂをＵ状茎受け部１ａの内側に設けている。この実施形態ではフック部１ｂがＵ状茎受け部１ａの内側にあるために茎の出し入れ時に注意を要するが、全体のサイズを小さくできるメリットがある。
【００３１】
【発明の効果】
上述したように、本発明によれば次の効果を奏する。
（１）フックで茎や実を吊り上げるので、茎が疫病やカビ病にかかりにくくなるために、茎が枯れて収穫できなくなる茎が少なくなり、また、実も接地面により擦り傷が少なくなるために収穫、収量の大幅アップが図れる。
（２）水や、液肥を茎元近くまで冠水できるので、茎に効率よく水分や養分を供給できる。
（３）収穫時に、実が地表から上にあるために腰を屈めてする作業が楽になる。
（４）フックで吊り上げている茎の下の部分の通気性が良くなり、ビニールハウス内の空気が循環することにより、茎の下段の実が早く色づき、早く収穫できるようになる。
（５）茎受け部における茎との接触部をほぼ平面状とすることにより、茎受け部に対する茎の荷重が分散され、茎への損傷が軽減される。
【図面の簡単な説明】
【図１】  本発明の第１実施形態を示すもので、（ａ）は正面図、（ｂ）は側面図、（ｃ）は吊り紐係止部の拡大図、（ｄ）は（ａ）のＡ−Ａ線断面図である。
【図２】  吊り紐係止部への誘引用吊り紐の係止方法を説明する図であり、（ａ）は誘引用吊り紐の結び目の拡大図、（ｂ）は係止状態の吊り紐係止部の拡大正面図、（ｃ）はその側面図である。
【図３】  横紐誘引方式に本発明を適用した例を示す説明図である。
【図４】  吊り紐誘引方式に本発明を適用した例を示す説明図である。
【図５】  収穫後に茎を吊りフックから取り出す方法を示す説明図である。
【図６】  本発明の第２実施形態に係る吊りフックを示すもので、（ａ）は正面図、（ｂ）は側面図、（ｃ）は（ａ）のＢ−Ｂ線断面図である。
【図７】  本発明の第３実施形態に係る吊りフックを示すもので、（ａ）は要部正面図、（ｂ）は側面図である。
【図８】  本発明の第４実施形態に係る吊りフックを示すもので、（ａ）は要部正面図、（ｂ）は側面図である。
【図９】  本発明の第５実施形態に係る吊りフックを示すもので、（ａ）は正面図、（ｂ）は左側面図、（ｃ）は右側面図である。
【図１０】  従来の横紐誘引方式の栽培例を示す説明図である。
【図１１】  従来の吊り紐誘引方式の栽培例を示す説明図である。
【図１２】  従来の方法による実が接地している例を示す説明図である。
【図１３】  従来の方法による水や液肥の散布の例を示す説明図である。
【図１４】  従来のビニールシートを用いた施工例を示す説明図である。
【図１５】  茎を誘引用吊り紐で結んで吊る従来例の説明図である。
【符号の説明】
１  吊りフック
１ａ  茎受け部
１ｂ  横紐吊り用フック部
１ｃ  吊り紐係止部
１ｄ  切欠穴
１ｅ  先端部
２  誘引用吊り紐
２ａ  結び目
３  支柱
４  横紐
５  留め具
６  針金線
１０  水平に伸びる茎
１１  上に伸びる茎
【図１】
0004703036.tif 000002
【図２】
0004703036.tif 000003
【図３】
0004703036.tif 000004
【図４】
0004703036.tif 000005
【図５】
0004703036.tif 000006
【図６】
0004703036.tif 000007
【図７】
0004703036.tif 000008
【図８】
0004703036.tif 000009
【図９】
0004703036.tif 000010
【図１０】
0004703036.tif 000011
【図１１】
0004703036.tif 000012
【図１２】
0004703036.tif 000013
【図１３】
0004703036.tif 000014
【図１４】
0004703036.tif 000015
【図１５】
0004703036.tif 000016